(57)【特許請求の範囲】
【請求項１】
複数の照明器具を信号線で接続して成る照明装置であって、
前記照明器具は、
前記信号線に接続される送受信用の通信部と、
照明負荷と、
設定パラメータ記憶用の記憶部と、
前記通信部を介した他の照明器具との相互の情報交換により前記設定パラメータに従って前記照明負荷を制御する処理を行うほか、前記記憶部に設定パラメータが記憶されている場合に前記通信部を介して他の照明器具から設定パラメータの送信要求があると、前記通信部を介して他の照明器具に向けて前記記憶部に記憶されている設定パラメータを送信する処理を行う一方、前記記憶部に設定パラメータが記憶されていない場合に所定のトリガ入力があると、前記通信部を介して他の照明器具に向けて設定パラメータの送信要求を送信し、この送信要求に応じて同一グループに属する他の照明器具から送信されてくる設定パラメータを前記通信部を介して受信して前記記憶部に記憶させる処理を行う制御部と
を備える照明装置。
【請求項２】
前記所定のトリガ入力は、電源投入、動作モードの変更または所属グループの変更である請求項１記載の照明装置。
【請求項３】
前記制御部は、前記送信要求に応じて複数の照明器具から各々送信されてくる同一種類のパラメータのうち、予め定められた優先順位のより高い設定パラメータを前記記憶部に記憶させる処理を行う請求項１記載の照明装置。
【請求項４】
前記優先順位は、グループ番号、アドレス、照明負荷の点灯状態、照明負荷の調光レベル、または照明負荷の動作モードにより決定される請求項３記載の照明装置。
【請求項５】
前記制御部は、動作モードが変わるとき、前記通信部を介して他の照明器具に向けて自己の動作モードを送信するとともに、前記通信部を介して他の照明器具からの動作モードを受信し、受信した動作モードおよび自己の動作モードのうち、優先度のより高い動作モードを自己の動作モードにして前記照明負荷の制御に反映させる処理を行う請求項１記載の照明装置。
【請求項６】
複数の照明器具を信号線で接続して成る照明装置であって、
前記照明器具は、
前記信号線に接続される送受信用の通信部と、
照明負荷と、
設定パラメータおよびグループ番号記憶用の記憶部と、
前記通信部を介した他の照明器具との相互の情報交換により前記設定パラメータに従って前記照明負荷を制御する処理を行うほか、前記記憶部に記憶されているグループ番号に属する他の照明器具から設定パラメータの送信要求があると、前記記憶部に記憶されている設定パラメータを前記通信部を介して前記他の照明器具に向けて送信する処理を行い、また前記記憶部に記憶されているグループ番号が別のグループ番号に変更されると、この別のグループ番号に属している他の照明器具に向けて前記通信部を介して設定パラメータの送信要求を送信し、前記別のグループ番号に属している他の照明器具からの設定パラメータを前記通信部を介して受信して前記記憶部に記憶させる処理を行う制御部と
を備える照明装置。
【発明の詳細な説明】
【０００１】
【発明の属する技術分野】
本発明は、通信部、照明負荷およびこの照明負荷制御用の制御部などにより成る照明器具を複数有し、各通信部に信号線が相互通信可能に接続されて構成される照明装置に関するものである。
【０００２】
【従来の技術】
従来、通信部、照明負荷およびこの照明負荷制御用の制御部などにより成る照明器具を複数有し、各通信部に信号線が相互通信可能に接続されて構成される照明装置が種々提案されている。
【０００３】
例えば、特開平９−３５８７５号公報には、リモコン操作スイッチをグループ制御あるいはパターン制御の設定器として使用し、個々の制御端末器に向けてその動作を設定し、各制御端末器は自局が所属するグループ番号あるいはパターン番号を記憶するようにして、これにより、グループ制御あるいはパターン制御の設定作業は、制御端末器を内蔵する照明器具に向けてリモコン操作スイッチを操作して行うことができる照明制御システムが開示されている。
【０００４】
なお、特開平９−３５８７６号公報には、照明負荷を備える複数系統の照明制御系の間に介在し、照明制御系の相互間での照明制御信号の受渡しを可能とすることによって、各照明制御系の仕様にほとんど変更を加えることなく見掛け上で信号線を延長することができるようにした照明用中継器などが記載されている。
【０００５】
【発明が解決しようとする課題】
しかしながら、上記従来の照明制御システムでは、既設のシステムに対して新たに照明器具（上記公報では制御端末器および照明器具）を増設する場合、リモコンを取り出して設定操作を再度行う必要がある。
【０００６】
また、上記照明制御システムのように、複数の照明器具を集中管理する親機を有さずに複数の照明器具により構成される照明装置では、グループ番号に各種設定項目が関連付けられている場合にそのグループ番号を別のグループ番号に変更すると、その別のグループ番号に対して各設定項目の情報をどのように設定するかが問題となる。この問題に対処すべく、例えば種々のグループ番号およびこれら各々に対する各設定項目の情報によりなるテーブルをリモコン内部のメモリに記憶させるようにすると、記憶容量が勢い増大して価格が上昇することになる。また、上記別のグループ番号に既に属している照明器具から各設定項目の情報を一端リモコンに取り込んで、このリモコンを経由して取り込んだ情報を上記別のグループ番号に変更された照明器具にコピーする場合も、そのようなコピーのための手間が生じることになる。
【０００７】
なお、複数グループの設定可能な照明器具の場合、各グループ間の照明の遷移制御が複雑となるが、この遷移制御にいわゆる後操作優先方式が採用される場合がある。しかしながら、近年、例えば人感センサによる自動点灯などの自動化が進み、また高機能化による動作の複雑化のために、後操作優先による遷移制御では、照明器具を快適に制御することが困難になってきている。
【０００８】
例えば、各照明器具が人感センサを有し、グループＡ，Ｂがあり、これら双方に属する照明器具をＲとし、そして照明器具ＲがグループＡとして１００％で点灯している時にグループＢに対して５０％で照明負荷を点灯させるための命令が発せられたとすると、照明器具Ｒは５０％で点灯することになる。この後、グループＡの領域内に人がまだいる状態でグループＢの領域内に人がいなくなると、グループＢの各照明器具の人感センサが、点灯状態を維持させる所定の保持時間の経過後に当該照明器具をオフにするので、照明器具Ｒを除くグループＢに属する照明器具が消灯することになる。この結果、照明器具Ｒが５０％で点灯し、照明器具Ｒを除くグループＡに属する照明器具が１００％で点灯し、照明器具Ｒを除くグループＢに属する照明器具が消灯する状態となる。このように、後操作優先による遷移制御では、本来、必要な照度を基準にして各照明器具のグループ分けが行われたにも関わらず、人がまだいるグループＡに属する照明器具Ｒが５０％の点灯状態を維持したままとなり、グループＡの領域に対して本来必要な照度を確保することができなくなるのである。このような場合、照明器具Ｒは１００％で点灯するのが望ましい。
【０００９】
この対策として、照明器具ＲにグループＡ，Ｂの状態を保持させ、上記と同じ状態から照明器具Ｒを除くグループＢに属する照明器具が消灯した場合に、照明器具Ｒが１００％で点灯するように照明装置を構成すると、別の遷移状態で問題が発生してしまう。すなわち、上記同様に、照明器具ＲがグループＡとして１００％で点灯している時にグループＢに対して５０％で照明負荷を点灯させるための命令が発せられたとすると、照明器具Ｒは５０％で点灯することになる。このとき、照明器具ＲはグループＡに属していた時の点灯状態（１００％）を保持している。そして、照明器具Ｒがその点灯状態（１００％）を保持している間に、例えば、グループＡの領域に人がいなくなり、続いてグループＢの領域に人がいなくなったとすると、まず、照明器具Ｒを除くグループＡに属する照明器具が消灯し、続いて、照明器具Ｒを除くグループＢに属する照明器具が消灯するが、このとき、照明器具Ｒが１００％で点灯してしまうのである。さらに、照明器具Ｒの属するグループ数が増えると、照明器具Ｒ内における処理が一層複雑化することになる。
【００１０】
本発明は、上記事情に鑑みてなされたものであり、設定が格段に容易となる照明装置を提供することを目的とする。
【００１１】
【課題を解決するための手段】
上記課題を解決するために請求項１記載の発明は、複数の照明器具を信号線で接続して成る照明装置であって、前記照明器具は、前記信号線に接続される送受信用の通信部と、照明負荷と、設定パラメータ記憶用の記憶部と、前記通信部を介した他の照明器具との相互の情報交換により前記設定パラメータに従って前記照明負荷を制御する処理を行うほか、前記記憶部に設定パラメータが記憶されている場合に前記通信部を介して他の照明器具から設定パラメータの送信要求があると、前記通信部を介して他の照明器具に向けて前記記憶部に記憶されている設定パラメータを送信する処理を行う一方、前記記憶部に設定パラメータが記憶されていない場合に所定のトリガ入力があると、前記通信部を介して他の照明器具に向けて設定パラメータの送信要求を送信し、この送信要求に応じて同一グループに属する他の照明器具から送信されてくる設定パラメータを前記通信部を介して受信して前記記憶部に記憶させる処理を行う制御部とを備えるのである。
【００１２】
この構成では、所定のトリガ入力があると、送信要求に応じて送信されてくる設定パラメータが記憶部に記憶されるようになる。これにより、設定が格段に容易となる。また、この構成では、送信要求に応じて同一グループに属する他の照明器具から送信されてくる設定パラメータが記憶部に記憶されるようになるので、最適な設定パラメータを記憶部に記憶することができる。
【００１３】
請求項２記載の発明は、請求項１記載の照明装置において、前記所定のトリガ入力は、電源投入、動作モードの変更または所属グループの変更である。この場合、設定パラメータが記憶部に自動的に記憶されるようになるので、設定が格段に容易となる。
【００１４】
請求項３記載の発明は、請求項１記載の照明装置において、前記制御部は、前記送信要求に応じて複数の照明器具から各々送信されてくる同一種類のパラメータのうち、予め定められた優先順位のより高い設定パラメータを前記記憶部に記憶させる処理を行うものである。この構成によれば、最適な設定パラメータを記憶部に記憶することができる。
【００１５】
請求項４記載の発明は、請求項３記載の照明装置において、前記優先順位は、グループ番号、アドレス、照明負荷の点灯状態、照明負荷の調光レベル、または照明負荷の動作モードにより決定される。この場合、最適な設定パラメータを記憶部に記憶することができる。
【００１６】
請求項５記載の発明は、請求項１記載の照明装置において、前記制御部は、動作モードが変わるとき、前記通信部を介して他の照明器具に向けて自己の動作モードを送信するとともに、前記通信部を介して他の照明器具からの動作モードを受信し、受信した動作モードおよび自己の動作モードのうち、優先度のより高い動作モードを自己の動作モードにして前記照明負荷の制御に反映させる処理を行うものである。
【００１７】
この構成では、他の照明器具から受信した動作モードおよび自己の動作モードのうち、優先度のより高い動作モードが自己の動作モードになるので、好適な動作モードが設定されるようになる。これにより、設定が格段に容易となる。
【００１８】
請求項６記載の発明は、複数の照明器具を信号線で接続して成る照明装置であって、前記照明器具は、前記信号線に接続される送受信用の通信部と、照明負荷と、設定パラメータおよびグループ番号記憶用の記憶部と、前記通信部を介した他の照明器具との相互の情報交換により前記設定パラメータに従って前記照明負荷を制御する処理を行うほか、前記記憶部に記憶されているグループ番号に属する他の照明器具から設定パラメータの送信要求があると、前記記憶部に記憶されている設定パラメータを前記通信部を介して前記他の照明器具に向けて送信する処理を行い、また前記記憶部に記憶されているグループ番号が別のグループ番号に変更されると、この別のグループ番号に属している他の照明器具に向けて前記通信部を介して設定パラメータの送信要求を送信し、前記別のグループ番号に属している他の照明器具からの設定パラメータを前記通信部を介して受信して前記記憶部に記憶させる処理を行う制御部とを備えるものである。
【００１９】
この構成では、記憶部に記憶されているグループ番号が別のグループ番号に変更されると、その別のグループ番号に属している他の照明器具からの設定パラメータが記憶部に記憶させるようになる。これにより、設定が格段に容易となる。
【００２０】
【発明の実施の形態】
（基本構成）
図１は照明装置における各照明器具の構成図、図２は照明装置を示す図で、これらの図を用いて以下に本発明の基本構成の説明を行う。ただし、下記説明において、識別の便宜上、図２に示す括弧内の符号１０Ａ，１０Ｂを適宜使用する。
【００２１】
本照明装置は、図２に示すように、複数の照明器具１０を信号線Ｎで接続して成り、各照明器具１０は、図１に示すように、信号線Ｎに接続される送受信用の通信部１１と、蛍光灯などの照明負荷１２と、設定パラメータなどの種々の情報記憶用の記憶部１３と、例えばマイコン（マイクロコンピュータ）により成り当該照明器具１０全般の制御などの処理を行う制御部１６と、これら各部に電力を供給する電源部１７とにより構成されている。ただし、上記設定パラメータは、点灯レベルやタイムスケジュールなどの照明負荷１２を制御するためのデータのことである。
【００２２】
ここで、各照明器具１０の制御部１６により実行される種々の処理機能を説明すると、例えば、通信部１１を介した他の照明器具１０との相互の情報交換により、記憶部１３の設定パラメータに従って照明負荷１２を制御する処理が実行される。
【００２３】
そして、本基本構成では、記憶部１３に設定パラメータが記憶されている場合に通信部１１を介して他の照明器具１０から設定パラメータの送信要求があると、通信部１１を介して他の照明器具１０に向けて記憶部１３に記憶されている設定パラメータを送信する処理が実行される。また、記憶部１３に設定パラメータが記憶されていない場合に電源が投入されると、通信部１１を介して他の照明器具１０に向けて設定パラメータの送信要求を送信し、この送信要求に応じて送信されてくる設定パラメータを通信部１１を介して受信して記憶部１３に記憶させる処理が実行される。
【００２４】
次に、本基本構成の動作を説明する。ただし、図２において、照明器具１０Ａは、既に稼働状態にあり、記憶部１３には各種設定パラメータが記憶されているものとし、また照明器具１０Ｂは、新たに設置されたものであり、記憶部１３には各種設定パラメータがまだ記憶されていないものとする。
【００２５】
図２に示すように、照明器具１０Ｂの設置が完了した後、照明器具１０Ｂにおいて、電源が投入されると、記憶部１３には設定パラメータが記憶されていないので、通信部１１を介して照明器具１０Ａに向けて設定パラメータの送信要求をパラメータ要求コマンドで送信する処理が実行される。
【００２６】
この後、照明器具１０Ａにおいて、上記送信要求を通信部１１を介して受信すると、記憶部１３には設定パラメータが記憶されているので、その設定パラメータを通信部１１を介して照明器具１０Ｂに向けて送信する処理が実行される。
【００２７】
この後、照明器具１０Ｂにおいて、設定パラメータを通信部１１を介して受信すると、受信した設定パラメータを記憶部１３に記憶させる処理が実行される。
【００２８】
このように、新規に増設した照明器具の電源を投入することで、その記憶部に設定パラメータが自動的に記憶されることになり、設定が格段に容易となる。また、施工者あるいは使用者による初期設定動作の手間を省くことができる。
【００２９】
（第１実施形態）
図３は本発明の第１実施形態に係る照明装置を示す図で、この図を用いて以下に第１実施形態の説明を行う。ただし、下記説明において、識別の便宜上、図３に示す括弧内の符号２０Ａ〜２０Ｄを適宜使用する。
【００３０】
本照明装置は、複数の照明器具２０を信号線Ｎでバス配線接続して成り、各照明器具２０は、通信部１１、照明負荷１２および電源部１７を上記基本構成と同様に備えるほか、設定パラメータおよびグループ番号などの種々の情報記憶用の記憶部２３と、例えばマイコンにより成り当該照明器具２０全般の制御などの処理を行う制御部２６とを備えている。ただし、記憶部２３にはグループ番号が予め記憶され、各照明器具２０はグループ単位で動作する。
【００３１】
ここで、各照明器具２０の制御部２６により実行される種々の処理機能を説明すると、例えば、通信部１１を介した他の照明器具２０との相互の情報交換により、記憶部２３の設定パラメータに従って照明負荷１２を制御する処理が実行される。
【００３２】
そして、第１実施形態の特徴として、記憶部２３に設定パラメータが記憶されている場合に通信部１１を介して同一グループに属する他の照明器具２０から設定パラメータの送信要求があると、通信部１１を介して同一グループに属する他の照明器具２０に向けて記憶部２３に記憶されている設定パラメータを送信する処理が実行される。また、記憶部２３に設定パラメータが記憶されていない場合に電源が投入されると、通信部１１を介して同一グループに属する他の照明器具２０に向けて設定パラメータの送信要求を送信し、この送信要求に応じて送信されてくる設定パラメータを通信部１１を介して受信して記憶部２３に記憶させる処理が実行される。
【００３３】
また、各制御部２６は、同一グループに属する他の照明器具に向けて設定パラメータや送信要求を送信する場合、自己のグループ番号を利用する。第１実施形態では、設定パラメータまたは送信要求とともに自己のグループ番号が送信される。なお、これに限らず、自己のグループ番号を利用して同一グループに属する他の照明器具との間で通信を確立し、この後、設定パラメータや送信要求を転送する構成でもよい。
【００３４】
次に、第１実施形態の特徴となる動作を説明する。ただし、図３において、照明器具２０Ａ，２０Ｂは、既に稼働状態にあり、記憶部２３には各種設定パラメータおよびグループＡのグループ番号が記憶されているものとする。また、照明器具２０Ｃは、既に稼働状態にあり、記憶部２３には各種設定パラメータおよびグループＢのグループ番号が記憶されているものとする。さらに、照明器具２０Ｄは、新たに設置されたものであり、記憶部２３には、予めグループＡのグループ番号は記憶されているが、各種設定パラメータはまだ記憶されていないものとする。  図３に示すように、照明器具２０Ｄの設置が完了した後、照明器具２０Ｄにおいて、電源が投入されると、記憶部２３には設定パラメータが記憶されていないので、通信部１１を介して自己と同一のグループＡに属する照明器具２０Ａ，２０Ｂに向けて設定パラメータの送信要求をパラメータ要求コマンドで送信する処理が実行される。
【００３５】
この後、他の照明器具、例えば照明器具２０Ｃでは、通信部１１を介して受信される上記送信要求が自己のグループＢでないグループＡに属する照明器具からのものであるので、設定パラメータの送信処理は実行されない。これに対して、照明器具２０Ａ，２０Ｂでは、通信部１１を介して受信される上記送信要求が自己と同一のグループＡに属する照明器具からのものであるので、通信部１１を介してグループＡに属する他の照明器具に向けて記憶部２３に記憶されている設定パラメータを送信する処理が実行される。
【００３６】
この後、照明器具２０Ｄにおいて、設定パラメータを通信部１１を介して受信すると、受信した設定パラメータを記憶部２３に記憶させる処理が実行される。ここで、照明システムの形態として、同一グループ内の設定パラメータが同一である場合、いずれか一つの照明器具からの設定パラメータが記憶部２３に記憶される。これに対して、同一グループ内の設定パラメータが異なる場合、設定パラメータの値に優先順位を持たせ、優先順位の高い値の設定パラメータが記憶部２３に記憶される。例えば、調光データであれば、より明るい値の調光データが記憶部２３に記憶される。あるいは、受信順や受信時間、例えば一番最初に受信した設定パラメータが記憶部２３に記憶される構成でもよい。
【００３７】
以上のように、新規に増設した照明器具の電源を投入することで、その記憶部に同一グループに属する設定パラメータが自動的に記憶されることになり、設定が格段に容易となる。また、グループ単位の均整のとれた照明制御が特別な設定無しに可能となる。
【００３８】
なお、第１実施形態では、同一グループに属する他の照明器具に向けて設定パラメータの送信要求を送信する構成になっているが、これに限らず、他の照明器具全てに向けて設定パラメータの送信要求を送信し、この後、他の照明器具全てから送信される設定パラメータを、このとき同送されるグループ番号を用いて分別して記憶部に記憶する構成でもよい。
【００３９】
（第２実施形態）
図４は本発明の第２実施形態に係る照明装置を示す図、図５は図４に示す照明装置における各照明器具の構成図で、これらの図を用いて以下に第２実施形態の説明を行う。ただし、下記説明において、識別の便宜上、図４に示す括弧内の符号３０Ａ〜３０Ｄを適宜使用する。
【００４０】
本照明装置は、複数の照明器具３０を信号線Ｎでいわゆる渡り配線接続して成り（詳細な接続は図５参照）、各照明器具３０は、照明負荷１２、記憶部２３および電源部１７を第１実施形態と同様に備えているほか、他の照明器具３０と個別に接続される信号線Ｎにそれぞれが接続される送受信用の通信部３１１，３１２により成る通信部３１と、リモコンＲＣ１からの信号受信用のリモコン受信部３４と、例えばマイコンにより成り当該照明器具３０全般の制御などの処理を行う制御部３６とを備えている。
【００４１】
ここで、各照明器具３０の制御部３６により実行される種々の処理機能を説明すると、例えば、通信部３１を介した他の照明器具３０との相互の情報交換により、記憶部２３の設定パラメータに従って照明負荷１２を制御する処理が実行される。また、第１実施形態と同様に、記憶部２３に設定パラメータが記憶されている場合に通信部３１を介して同一グループに属する他の照明器具３０から設定パラメータの送信要求があると、通信部３１を介して同一グループに属する他の照明器具３０に向けて記憶部２３に記憶されている設定パラメータを送信する処理が実行される。さらに、記憶部２３に設定パラメータが記憶されていない場合に電源が投入されると、通信部３１を介して同一グループに属する他の照明器具３０に向けて設定パラメータの送信要求を送信し、この送信要求に応じて送信されてくる設定パラメータを通信部３１を介して受信して記憶部２３に記憶させる処理が実行される。
【００４２】
さらに、第２実施形態の特徴として、リモコンＲＣ１から、記憶部２３に記憶されているグループ番号を別のグループ番号に変更するための信号がリモコン受信部３４に向けて送信されると、リモコン受信部３４を介してその信号を受信して記憶部２３に記憶されているグループ番号をその別のグループ番号に変更するとともに、記憶部２３に記憶されている設定パラメータを消去する処理が実行される。
【００４３】
次に、第２実施形態の特徴となる動作を説明する。ただし、図４において、照明器具３０Ａ，３０Ｂ，３０Ｄは、既に稼働状態にあり、記憶部２３には各種設定パラメータおよびグループＡのグループ番号が記憶されているものとする。また、照明器具３０Ｃは、既に稼働状態にあり、記憶部２３には各種設定パラメータおよびグループＢのグループ番号が記憶されているものとする。
【００４４】
図４に示すように、リモコンＲＣ１から、照明器具３０Ｄのリモコン受信部３４に向けて、記憶部２３に記憶されているグループＡのグループ番号をグループＢのグループ番号に変更するための信号が送信されると、この信号はリモコン受信部３４を介して制御部３６により受信される。この後、その受信した信号に従って、記憶部２３に記憶されているグループＡのグループ番号をグループＢのグループ番号に変更するとともに、記憶部２３に記憶されている設定パラメータを消去する処理が実行される。この後、照明器具３０Ｄの電源を一度オフにして再度オンにすれば、第１実施形態と同様の動作により、グループＢ用の設定パラメータが照明器具３０Ｄの記憶部２３に自動的に記憶されることになる。
【００４５】
以上により、グループ番号を変更するだけで、変更後のグループ用の設定パラメータにほぼ自動的に変更されるので、設定が格段に容易となる。
【００４６】
（第３実施形態）
図６は本発明の第３実施形態に係る照明装置を示す図、図７は図６に示す照明装置における各照明器具の構成図で、これらの図を用いて以下に第３実施形態の説明を行う。ただし、下記説明において、識別の便宜上、図６に示す括弧内の符号４０Ａ〜４０Ｄを適宜使用する。
【００４７】
本照明装置は、図６に示すように、複数の照明器具４０を信号線Ｎで渡り配線接続して成り、各照明器具４０は、図７に示すように、通信部３１、照明負荷１２、記憶部２３および電源部１７を第２実施形態と同様に備えているほか、例えばマイコンにより成り当該照明器具４０全般の制御などの処理を行う制御部４６を備えている。
【００４８】
ここで、各照明器具４０の制御部４６により実行される種々の処理機能を説明すると、例えば、通信部３１を介した他の照明器具４０との相互の情報交換により、記憶部２３の設定パラメータに従って照明負荷１２を制御する処理が実行される。
【００４９】
そして、第３実施形態の特徴として、記憶部２３に設定パラメータが記憶されている場合に通信部３１１，３１２の一方を介して同一グループに属する他の照明器具４０から設定パラメータの送信要求があると、通信部３１１，３１２の一方を介して同一グループに属する他の照明器具４０に向けて記憶部２３に記憶されている設定パラメータを送信する処理が実行される。また、記憶部２３に設定パラメータが記憶されていない場合に電源が投入されると、通信部３１１，３１２の一方を介して同一グループに属する他の照明器具４０に向けて設定パラメータの送信要求を送信し、この送信要求に応じて送信されてくる設定パラメータを通信部３１１，３１２の一方を介して受信して記憶部２３に記憶させる処理が実行される。さらに、通信部３１１，３１２の一方を介して受信したデータが異なるグループに属する他の照明器具からのものであると、その受信したデータをそのまま通信部３１１，３１２の他方を介して転送する処理が実行される。
【００５０】
次に、第３実施形態の特徴となる動作を説明する。ただし、図６において、照明器具４０Ａ，４０Ｂは、既に稼働状態にあり、記憶部２３には各種設定パラメータおよびグループＡのグループ番号が記憶されているものとする。また、照明器具４０Ｃは、既に稼働状態にあり、記憶部２３には各種設定パラメータおよびグループＢのグループ番号が記憶されているものとする。さらに、照明器具４０Ｄは、新たに設置されたものであり、記憶部２３には、予めグループＡのグループ番号は記憶されているが、各種設定パラメータはまだ記憶されていないものとする。
【００５１】
図６に示すように、照明器具４０Ｄの設置が完了した後、照明器具４０Ｄにおいて、電源が投入されると、記憶部２３には設定パラメータが記憶されていないので、通信部３１１を介して自己と同一のグループＡに属する照明器具４０Ａ，４０Ｂに向けて設定パラメータの送信要求をパラメータ要求コマンドで送信する処理が実行される。
【００５２】
この後、照明器具４０Ｃにおいて、通信部３１２を介して受信される上記送信要求が自己のグループＢでないグループＡに属する照明器具からのものであるので、設定パラメータの送信処理は実行されない。この場合、照明器具４０Ｄから受信した送信要求は、そのまま通信部３１１を介して他の照明器具に向けて転送される。
【００５３】
この後、照明器具４０Ｂにおいて、通信部３１２を介して受信される上記送信要求が自己と同一のグループＡに属する照明器具からのものであるので、通信部３１２を介してグループＡに属する他の照明器具に向けて記憶部２３に記憶されている設定パラメータを送信する処理が実行される。この場合、通信部３１１を介して他の照明器具に上記送信要求を送信する処理は実行されない。
【００５４】
この後、照明器具４０Ｃにおいて、通信部３１１を介して受信される上記設定パラメータは、自己のグループＢのものではないので、そのまま通信部３１２を介して他の照明器具に向けて転送される。
【００５５】
この後、照明器具４０Ｄにおいて、上記設定パラメータを通信部３１１を介して受信すると、受信した設定パラメータを記憶部２３に記憶させる処理が実行される。
【００５６】
以上により、第１実施形態と同様の効果を奏することが可能になる、すなわち設定が格段に容易となるほか、変更すべき設定パラメータを一の照明器具のみから受信することになるので、受信した設定パラメータの分別処理などが不要となる。
【００５７】
（第４実施形態）
図８は本発明の第４実施形態に係る照明装置を示す図で、この図を用いて以下に第４実施形態の説明を行う。ただし、下記説明において、識別の便宜上、図８に示す括弧内の符号５０Ａ〜５０Ｄを適宜使用する。
【００５８】
本照明装置は、複数の照明器具５０を信号線Ｎで接続して成り、各照明器具５０は、通信部１１、照明負荷１２、記憶部２３および電源部１７を第１実施形態と同様に備えるほか、例えばマイコンにより成り当該照明器具５０全般の制御などの処理を行う制御部５６と、この制御部５６により使用され、通常は固有な値となるアドレスを保持するアドレス保持部５８とを備えている。このアドレス保持部５８は、例えば、ディップスイッチなどのスイッチでもよく、あるいはメモリなどの半導体記憶素子でもよい。
【００５９】
ここで、各照明器具５０の制御部５６により実行される種々の処理機能を説明すると、例えば、通信部１１を介した他の照明器具５０との相互の情報交換により、記憶部２３の設定パラメータに従って照明負荷１２を制御する処理が実行される。
【００６０】
そして、第４実施形態の特徴として、記憶部２３に設定パラメータが記憶されている場合に通信部１１を介して他の照明器具５０から設定パラメータの送信要求があると、通信部１１を介して他の照明器具５０に向けて、記憶部２３に記憶されている設定パラメータをアドレス保持部５８で保持されているアドレスとともに送信する処理が実行される。さらに、記憶部２３に設定パラメータが記憶されていない場合に電源が投入されると、通信部１１を介して他の照明器具５０に向けて設定パラメータの送信要求を送信し、この送信要求に応じてアドレスとともに送信されてくる設定パラメータを通信部１１を介して受信し、その設定パラメータを、受信したアドレスを利用して記憶部２３に記憶させる処理が実行される。
【００６１】
次に、第４実施形態の特徴となる動作を説明する。ただし、図８において、各照明器具は第１実施形態と同様の状態になっているほか、照明器具５０Ａ，５０Ｂ，５０Ｃはそれぞれ１０，２０，３０のアドレスを有し、照明器具５０Ｄは１８のアドレスを有しているものとする。また、照明器具５０Ｄは、位置的には、照明器具５０Ａと照明器具５０Ｂとの間の照明器具５０Ｂ側に配置されるものとする。
【００６２】
照明器具５０Ｄの設置が完了した後、照明器具５０Ｄにおいて、電源が投入されると、記憶部２３には設定パラメータが記憶されていないので、通信部１１を介して他の照明器具に向けて設定パラメータの送信要求をパラメータ要求コマンドで送信する処理が実行される。
【００６３】
この後、他の照明器具５０Ａ，５０Ｂ，５０Ｃの各々において、上記送信要求が通信部１１を介して受信されると、通信部１１を介して他の照明器具に向けてアドレス保持部５８で保持されているアドレスおよび記憶部２３に記憶されている設定パラメータを送信する処理が実行される。
【００６４】
この後、照明器具５０Ｄにおいて、照明器具５０Ａ，５０Ｂ，５０Ｃの各々からの設定パラメータを通信部１１を介して受信すると、自己のアドレス１８に近いアドレス２０とともに送られきた設定パラメータ、すなわち照明器具５０Ｂからの設定パラメータを記憶部２３に記憶させる処理が実行される。ここで、最も近いアドレスを持った照明器具からの設定パラメータを採用する理由は、位置的に連続する照明器具には連続する値のアドレスが割り当てられる場合が多いからである。このように、グループ番号に関連付けて設定パラメータを設定するような場合、特別な装置にその関連付けテーブルを保持させなくても、また特別な操作や設定の必要なく該当グループの設定パラメータ取得が可能になる。
【００６５】
以上により、新たに設置された照明器具に対して、一般的なアドレス設定の場合に一番近くなる照明器具の設定パラメータが自動的に設定されるので、設定が格段に容易となる。
【００６６】
（第５実施形態）
図９は本発明の第５実施形態に係る照明装置を示す図、図１０は図９に示す照明装置における各照明器具の構成図、図１１は図１０に示す人感センサの動作説明図で、これらの図を用いて以下に第５実施形態の説明を行う。ただし、下記説明において、識別の便宜上、図９に示す括弧内の符号６０Ａ〜６０Ｄを適宜使用する。
【００６７】
本照明装置は、図９および図１０に示すように、複数の照明器具６０を信号線Ｎで渡り配線接続して成り、各照明器具６０は、通信部３１、照明負荷１２、記憶部２３および電源部１７を第１実施形態と同様に備えているほか、検出エリア内における人の存否検出用の人感センサ６５と（図１１参照）、例えばマイコンにより成り当該照明器具６０全般の制御などの処理を行う制御部６６とを備えている。
【００６８】
ここで、各照明器具６０の制御部６６により実行される種々の処理機能を説明すると、例えば、第１実施形態と同様に、記憶部２３に設定パラメータが記憶されている場合に通信部３１を介して同一グループに属する他の照明器具から設定パラメータの送信要求があると、通信部３１を介して同一グループに属する他の照明器具に向けて記憶部２３に記憶されている設定パラメータを送信する処理が実行される。また、記憶部２３に設定パラメータが記憶されていない場合に電源が投入されると、通信部３１を介して同一グループに属する他の照明器具に向けて設定パラメータの送信要求を送信し、この送信要求に応じて送信されてくる設定パラメータを通信部３１を介して受信して記憶部２３に記憶させる処理が実行される。
【００６９】
また、制御部６６は、通信部３１を介した他の照明器具６０との相互の情報交換により、記憶部２３の設定パラメータに従って照明負荷１２を制御する処理を実行する。ここで、この相互の情報交換による照明負荷１２の制御処理をさらに詳述すると、制御部６６は、人感センサ６５の検出結果を常時監視していて、人感センサ６５が検出エリア内に人の存在を検出すると、照明負荷１２の点灯制御を行うとともに、通信部３１を介して同一グループに属する他の照明器具に向けて人の存在を検出した旨の検出信号を送信する処理を実行する。また、通信部３１を介して同一グループに属する他の照明器具から人の存在を検出した旨の検出信号を受信すると、照明負荷１２の点灯制御を行う処理が実行される。
【００７０】
また、制御部６６は、通信部３１を介してスケジューラなどの外部コントローラＣ１から、５０％で点灯などの点灯命令を受けると、この点灯命令に従って照明負荷１２の点灯制御を行う処理を実行する。この点灯命令に従った照明負荷１２の点灯制御は、人感センサ６５の検出結果に応じた照明負荷１２の点灯制御よりも優先される。そして、第５実施形態の特徴として、外部コントローラＣ１から上記点灯命令の解除命令を受けると、この解除命令の対象となるグループにのみ属する照明器具においては、その解除命令に従って同一グループ内の各人感センサ６５の検出結果に応じて照明負荷１２の制御を行う処理が実行される一方、複数のグループに属する照明器具においては、所属グループの各照明器具に向けて照明負荷１２の制御状態の送信要求を送信し、この送信要求に応じて返信されてくる制御状態および所属グループの各人感センサ６５の検出結果に応じて照明負荷１２の制御を行う処理が実行される。
【００７１】
さらに、制御部６６は、複数のグループに属する場合、一のグループに対して点灯命令が出された後に、他のグループに対して別の点灯命令が出されると、まず、一のグループに対して出された点灯命令に従って照明負荷１２を制御し、この後、後操作優先で他のグループに出された別の点灯命令に従って照明負荷１２を制御する処理を行う。
【００７２】
次に、第５実施形態の特徴となる動作を説明する。ただし、図１１において、照明器具６０Ａ，６０ＢはグループＡに属し、照明器具６０ＤはグループＢに属し、そして照明器具６０ＣはグループＡ，Ｂに属しているものとする。また、各照明器具の照明負荷１２は消灯状態にあるとする。
【００７３】
いま、照明器具６０Ａにおいて、人感センサ６５が人の存在を検出すると、照明負荷１２の点灯制御を行うとともに、通信部３１を介して同一グループＡに属する他の照明器具６０Ｂ，６０Ｃに向けて人の存在を検出した旨の検出信号を送信する処理が実行される。照明器具６０Ｂ，６０Ｃの各々において、通信部３１を介して人の存在を検出した旨の検出信号を受信すると、照明負荷１２の点灯制御を行う処理が実行される。これにより、グループＡに属する各照明器具の照明負荷１２が点灯することになる。
【００７４】
この後、外部コントローラＣ１からグループＢに属する照明器具６０Ｃ，６０Ｄに対して５０％で点灯の点灯命令が出されると、この点灯命令に従った照明負荷１２の点灯制御が照明器具６０Ｃ，６０Ｄの各々において実行される。これにより、グループＢに属する各照明器具の照明負荷１２が５０％で点灯することになる。
【００７５】
この後、グループＡのエリアから人がいなくなって保持時間が経過すると、照明器具６０Ａ，６０Ｂの各々においては、照明負荷１２の消灯制御が実行される一方、外部コントローラＣ１の命令下にある照明器具６０Ｃでは、グループＡの各人感センサ６５の検出結果よりも外部コントローラＣ１からの点灯命令の方が優先されるので、照明負荷１２に対する５０％の点灯制御が維持される。これにより、照明器具６０Ａ，６０Ｂの各照明負荷１２は消灯し、照明器具６０Ｃの照明負荷１２は引き続き５０％で点灯することになる。
【００７６】
この後、グループＢのエリア内に人がいない状態で、外部コントローラＣ１から照明器具６０Ｃ，６０Ｄに対して上記点灯命令の解除命令が出されると、照明器具６０Ｄにおいては、その解除命令に従って同一グループＢ内の各人感センサ６５の検出結果に応じて照明負荷１２の制御を行う処理が実行される。これにより、照明器具６０Ｄの照明負荷１２は消灯することになる。一方、照明器具６０Ｃにおいては、所属グループＡ，Ｂの各照明器具に向けて照明負荷１２の制御状態の送信要求を送信し、この送信要求に応じて返信されてくる制御状態および所属グループの各人感センサ６５の検出結果に応じて照明負荷１２の制御を行う処理が実行される。このとき、照明器具６０Ａ，６０Ｂから消灯中の制御状態が返信されてくるので、照明器具６０Ｃの照明負荷１２も消灯することになる。
【００７７】
次に、別の動作説明を行う。ただし、上記同様、各照明器具の照明負荷１２は消灯状態にあるとする。
【００７８】
いま、照明器具６０Ａにおいて、人感センサ６５が人の存在を検出すると、照明負荷１２の点灯制御を行うとともに、通信部３１を介して同一グループＡに属する他の照明器具６０Ｂ，６０Ｃに向けて人の存在を検出した旨の検出信号を送信する処理が実行される。照明器具６０Ｂ，６０Ｃの各々において、通信部３１を介して人の存在を検出した旨の検出信号を受信すると、照明負荷１２の点灯制御を行う処理が実行される。これにより、グループＡに属する各照明器具の照明負荷１２が点灯することになる。
【００７９】
この後、外部コントローラＣ１からグループＢに属する照明器具６０Ｃ，６０Ｄに対して５０％で点灯の点灯命令が出されると、この点灯命令に従った照明負荷１２の点灯制御が照明器具６０Ｃ，６０Ｄの各々において実行される。これにより、グループＢに属する各照明器具の照明負荷１２が５０％で点灯することになる。
【００８０】
この後、外部コントローラＣ１からグループＡに属する照明器具６０Ａ，６０Ｂ，６０Ｃに対して１００％で点灯の点灯命令が出されると、この点灯命令に従った照明負荷１２の点灯制御が照明器具６０Ａ，６０Ｂ，６０Ｃの各々において実行される。これにより、グループＡに属する各照明器具の照明負荷１２が１００％で点灯することになる。
【００８１】
この後、グループＡのエリア内に人がいない状態で、外部コントローラＣ１からグループＡに属する各照明器具に対して１００％で点灯の点灯命令の解除命令が出されると、照明器具６０Ａ，６０Ｂにおいては、その解除命令に従って同一グループＡ内の各人感センサ６５の検出結果に応じて照明負荷１２の制御を行う処理が実行される。これにより、照明器具６０Ａ，６０Ｂの各照明負荷１２は消灯することになる。一方、照明器具６０Ｃにおいては、所属グループＡ，Ｂの各照明器具に向けて照明負荷１２の制御状態の送信要求を送信し、この送信要求に応じて返信されてくる制御状態および所属グループの各人感センサ６５の検出結果に応じて照明負荷１２の制御を行う処理が実行される。このとき、照明器具６０Ｄから５０％で点灯中の制御状態が返信されてくるので、照明器具６０Ｃの照明負荷１２は５０％で点灯することになる。つまりこの場合、所属グループＡ，Ｂの双方の制御状態が比較され、より明るい方の制御が採用されるのである。
【００８２】
以上により、第１実施形態と同様の効果を奏することが可能になるほか、複数グループに属する照明器具の好適な遷移制御が可能になり、照明を好適に制御することができる。つまり、複数グループに属する照明器具が全グループの動作を把握でき、その時々に応じて最適なものを選んで自己の照明に反映させれば、より快適な照明を提供できる。
【００８３】
（第６実施形態）
図１２は本発明の第６実施形態に係る照明装置を示す図で、この図を用いて以下に第６実施形態の説明を行う。ただし、下記説明において、識別の便宜上、図１２に示す括弧内の符号７０Ａ〜７０Ｄを適宜使用する。
【００８４】
本照明装置は、複数の照明器具７０を信号線Ｎで接続して成り、各照明器具７０は、通信部３１、照明負荷１２、記憶部２３、人感センサ６５および電源部１７を第５実施形態と同様に備えるほか、例えばマイコンにより成り当該照明器具７０全般の制御などの処理を行う制御部７６を備えている。
【００８５】
この制御部７６は、複数のグループに属する場合、外部コントローラＣ１から一のグループに対して点灯命令が出された後に、他のグループに対して別の点灯命令が出されると、まず、一のグループに対して出された点灯命令に従って照明負荷１２を制御し、この後、一のグループに対して出された点灯命令および他のグループに出された別の点灯命令のうち、より明るい方の点灯命令に従って照明負荷１２を制御する処理を行う以外は、第５実施形態の制御部６６と同様の処理を行う。
【００８６】
次に、第６実施形態の特徴となる動作を説明する。ただし、図１２において、照明器具７０Ａ，７０ＢはグループＡに属し、照明器具７０ＤはグループＢに属し、そして照明器具７０ＣはグループＡ，Ｂに属しているものとする。また、各照明器具の照明負荷１２は消灯状態にあるとする。
【００８７】
いま、照明器具７０Ａにおいて、人感センサ６５が人の存在を検出すると、照明負荷１２の点灯制御を行うとともに、通信部３１を介して同一グループＡに属する他の照明器具７０Ｂ，７０Ｃに向けて人の存在を検出した旨の検出信号を送信する処理が実行される。照明器具７０Ｂ，７０Ｃの各々において、通信部３１を介して人の存在を検出した旨の検出信号を受信すると、照明負荷１２の点灯制御を行う処理が実行される。これにより、グループＡに属する各照明器具の照明負荷１２が点灯することになる。
【００８８】
この後、外部コントローラＣ１からグループＢに属する照明器具７０Ｃ，７０Ｄに対して５０％で点灯の点灯命令が出されると、この点灯命令に従った照明負荷１２の点灯制御が照明器具７０Ｃ，７０Ｄの各々において実行される。これにより、グループＢに属する各照明器具の照明負荷１２が５０％で点灯することになる。
【００８９】
この後、外部コントローラＣ１からグループＡに属する照明器具７０Ａ，７０Ｂ，７０Ｃに対して１００％で点灯の点灯命令が出されると、照明器具７０Ａ，７０Ｂにおいては、１００％で点灯の点灯命令に従った照明負荷１２の点灯制御が実行され、照明器具７０Ｃにおいては、５０％で点灯の点灯命令および１００％で点灯の点灯命令のうち、より明るい方の点灯命令に従って照明負荷１２を制御する処理が実行される。これにより、グループＡに属する各照明器具の照明負荷１２が１００％で点灯することになる。
【００９０】
この後、外部コントローラＣ１からグループＡに属する照明器具７０Ａ，７０Ｂ，７０Ｃに対して４０％で点灯の点灯命令が出されると、照明器具７０Ａ，７０Ｂにおいては、４０％で点灯の点灯命令に従った照明負荷１２の点灯制御が実行され、照明器具７０Ｃにおいては、５０％で点灯の点灯命令および４０％で点灯の点灯命令のうち、より明るい方の点灯命令に従って照明負荷１２を制御する処理が実行される。これにより、照明器具７０Ａ，７０Ｂの各照明負荷１２が４０％で点灯し、照明器具７０Ｃ，７０Ｄの照明負荷１２が５０％で点灯することになる。
【００９１】
以上により、第１実施形態と同様の効果を奏することが可能になるほか、複数グループに属する照明器具の好適な遷移制御が可能になり、照明を好適に制御することができる。
【００９２】
なお、上記のように複数の点灯命令を受けた場合、所属グループの各照明器具に向けて制御状態の送信要求を送信し、この送信要求に対する返信に応じて照明負荷１２の制御が実行されるようにしてもよい。
【００９３】
また、第６実施形態では、外部コマンドにより点灯レベルが変更されるが、各グループ毎に、人が存在するときの点灯レベルの設定パラメータ（例えば人が存在するようになれば、グループＡは４０％、グループＢは５０％）が別途設けられる構成でも同様の動作が可能になる。
【００９４】
（第７実施形態）
図１３は本発明の第７実施形態に係る照明装置を示す図、図１４は図１３に示す制御部の説明図で、これらの図を用いて以下に第７実施形態の説明を行う。ただし、下記説明において、識別の便宜上、図１３に示す括弧内の符号８０Ａ〜８０Ｄを適宜使用する。
【００９５】
本照明装置は、複数の照明器具８０を信号線Ｎで接続して成り、各照明器具８０は、通信部３１、照明負荷１２、記憶部２３、人感センサ６５および電源部１７を第５実施形態と同様に備えるほか、例えばマイコンにより成り当該照明器具８０全般の制御などの処理を行う制御部８６を備えている。
【００９６】
この制御部８６は、人感センサ６５の検出結果を利用して、図１４に示すように照明負荷１２を制御する処理を行う以外は、第５実施形態の制御部６６と同様の処理を行う。すなわち、人が存在しなくなってから保持時間が経過すると、所定の時間だけ、消灯のお知らせモードとして照明負荷１２を２０％で点灯する処理が実行されるのである。
【００９７】
次に、第７実施形態の特徴となる動作を説明する。ただし、図１３において、照明器具８０Ａ，８０ＢはグループＡに属し、照明器具８０ＤはグループＢに属し、そして照明器具８０ＣはグループＡ，Ｂに属しているものとする。また、各照明器具の照明負荷１２は消灯状態にあるとする。
【００９８】
グループＡのエリアに人が存在するようになると、第５実施形態と同様、グループＡに属する各照明器具の照明負荷１２がセンサ点灯モードで点灯する。続いて、グループＢのエリアに人が存在するようになると、グループＢに属する照明器具８０Ｄの照明負荷１２もセンサ点灯モードで点灯する。
【００９９】
この後、グループＡのエリアに人が存在しなくなって保持時間が経過すると、グループＡに属する照明器具８０Ａ，８０Ｂにおいては、各照明負荷１２が２０％で点灯する。一方、グループＡ，Ｂに属する照明器具８０Ｃにおいては、所属グループＡ，Ｂの各照明器具に向けて照明負荷１２の制御状態の送信要求を送信し、この送信要求に応じて返信されてくる制御状態および所属グループの各人感センサ６５の検出結果に応じて照明負荷１２の制御を行う処理が実行される。この場合、グループＢの点灯状態が採用され、照明器具８０Ｃの照明負荷１２はセンサ点灯モードで点灯することになる。つまり、グループＡの消灯のお知らせモードとグループＢのセンサ点灯モードとが比較され、より明るい方が優先度が高いので、グループＢのセンサ点灯モードが採用されるのである。
【０１００】
以上のように、複数グループに属する照明器具がより高い優先度のモードで動作するので、より好適な照明制御が可能になる。なお、上記人感センサによる動作モードに限らず、外部コントローラからのコマンドによるモード変化でも同様の効果が得られる。
【０１０１】
【発明の効果】
以上のことから明らかなように、請求項１記載の発明によれば、複数の照明器具を信号線で接続して成る照明装置であって、前記照明器具は、前記信号線に接続される送受信用の通信部と、照明負荷と、設定パラメータ記憶用の記憶部と、前記通信部を介した他の照明器具との相互の情報交換により前記設定パラメータに従って前記照明負荷を制御する処理を行うほか、前記記憶部に設定パラメータが記憶されている場合に前記通信部を介して他の照明器具から設定パラメータの送信要求があると、前記通信部を介して他の照明器具に向けて前記記憶部に記憶されている設定パラメータを送信する処理を行う一方、前記記憶部に設定パラメータが記憶されていない場合に所定のトリガ入力があると、前記通信部を介して他の照明器具に向けて設定パラメータの送信要求を送信し、この送信要求に応じて同一グループに属する他の照明器具から送信されてくる設定パラメータを前記通信部を介して受信して前記記憶部に記憶させる処理を行う制御部とを備えるので、設定が格段に容易となる。また、最適な設定パラメータを記憶部に記憶することができる。
【０１０２】
請求項２記載の発明によれば、請求項１記載の照明装置において、前記所定のトリガ入力が、電源投入、動作モードの変更または所属グループの変更であれば、設定が格段に容易となる。
【０１０３】
請求項３記載の発明によれば、請求項１記載の照明装置において、前記制御部は、前記送信要求に応じて複数の照明器具から各々送信されてくる同一種類のパラメータのうち、予め定められた優先順位のより高い設定パラメータを前記記憶部に記憶させる処理を行うので、最適な設定パラメータを記憶部に記憶することができる。
【０１０４】
請求項４記載の発明によれば、請求項３記載の照明装置において、前記優先順位が、グループ番号、アドレス、照明負荷の点灯状態、照明負荷の調光レベル、または照明負荷の動作モードにより決定される構成であっても、最適な設定パラメータを記憶部に記憶することができる。
【０１０５】
請求項５記載の発明によれば、請求項１記載の照明装置において、前記制御部は、動作モードが変わるとき、前記通信部を介して他の照明器具に向けて自己の動作モードを送信するとともに、前記通信部を介して他の照明器具からの動作モードを受信し、受信した動作モードおよび自己の動作モードのうち、優先度のより高い動作モードを自己の動作モードにして前記照明負荷の制御に反映させる処理を行うので、設定が格段に容易となる。
【０１０６】
請求項６記載の発明によれば、複数の照明器具を信号線で接続して成る照明装置であって、前記照明器具は、前記信号線に接続される送受信用の通信部と、照明負荷と、設定パラメータおよびグループ番号記憶用の記憶部と、前記通信部を介した他の照明器具との相互の情報交換により前記設定パラメータに従って前記照明負荷を制御する処理を行うほか、前記記憶部に記憶されているグループ番号に属する他の照明器具から設定パラメータの送信要求があると、前記記憶部に記憶されている設定パラメータを前記通信部を介して前記他の照明器具に向けて送信する処理を行い、また前記記憶部に記憶されているグループ番号が別のグループ番号に変更されると、この別のグループ番号に属している他の照明器具に向けて前記通信部を介して設定パラメータの送信要求を送信し、前記別のグループ番号に属している他の照明器具からの設定パラメータを前記通信部を介して受信して前記記憶部に記憶させる処理を行う制御部とを備えるので、設定が格段に容易となる。
【図面の簡単な説明】
【図１】  本発明の照明装置における各照明器具の基本構成を示す図である。
【図２】  照明装置の基本構成を示す図である。
【図３】  本発明の第１実施形態に係る照明装置を示す図である。
【図４】  本発明の第２実施形態に係る照明装置を示す図である。
【図５】  図４に示す照明装置における各照明器具の構成図である。
【図６】  本発明の第３実施形態に係る照明装置を示す図である。
【図７】  図６に示す照明装置における各照明器具の構成図である。
【図８】  本発明の第４実施形態に係る照明装置を示す図である。
【図９】  本発明の第５実施形態に係る照明装置を示す図である。
【図１０】  図９に示す照明装置における各照明器具の構成図である。
【図１１】  図１０に示す人感センサの動作説明図である。
【図１２】  本発明の第６実施形態に係る照明装置を示す図である。
【図１３】  本発明の第７実施形態に係る照明装置における照明器具の構成図である。
【図１４】  図１３に示す制御部の説明図である。
【符号の説明】
１０，２０，３０，４０，５０，６０，７０，８０  照明器具
１１，３１  通信部
１２  照明負荷
１３，２３  記憶部
３４  リモコン受信部
６５  人感センサ
１６，２６，３６，４６，５６，６６，７６，８６  制御部
１７  電源部
５８  アドレス保持部
【図１】
0003829537.tif 000002
【図２】
0003829537.tif 000003
【図３】
0003829537.tif 000004
【図４】
0003829537.tif 000005
【図５】
0003829537.tif 000006
【図６】
0003829537.tif 000007
【図７】
0003829537.tif 000008
【図８】
0003829537.tif 000009
【図９】
0003829537.tif 000010
【図１０】
0003829537.tif 000011
【図１１】
0003829537.tif 000012
【図１２】
0003829537.tif 000013
【図１３】
0003829537.tif 000014
【図１４】
0003829537.tif 000015